(57)【要約】【課題】どのような高さの吊下パイプに対しても取り付けやすく、しかも取付け後はしっかりとロックできる吊下部を備えた防虫剤容器を提供すること。【解決手段】吊下部２０は円形状の開口２３とその開口２３の上部に脱着口２４を形成する一対のフック片２１，２２からなり、少なくとも一方のフック片２１は、薄い肉厚の周辺部を残した空洞形状になっている。吊下部２０におけるフック片２１，２２の先端同士の間に形成された脱着口２４の部分をパイプに押し当ててそのまま押し込むと、空洞形状のフック片２１がパイプに押されて弾性変形し、パイプが吊下部における開口２３の中に入ると同時にフック片２１が元の形に戻ることによって吊下状態となる。下からでも手前からでも引っ掛けて簡単に吊り下げることができ、吊り下げた状態では元の形状に戻ったフック片によりしっかりとロックされる。【選択図】図１
2007076669.tif 000002
【特許請求の範囲】
【請求項１】
防虫剤を収納する偏平状の容器本体とその上部に設けられた吊下部とからなる吊下型防虫剤容器であって、吊下部は円形状の開口とその開口の上部に脱着口を形成する一対のフック片からなり、少なくとも一方のフック片は、薄い肉厚の周辺部を残した空洞形状になっていることを特徴とする吊下型防虫剤容器。
【発明の詳細な説明】
【技術分野】
【０００１】
本発明は、洋服ダンス、クローゼット等に吊り下げて使用する衣料用等の防虫剤容器に関するものである。
【背景技術】
【０００２】
従来より、衣料用等の防虫剤容器として、洋服ダンスやクローゼットの中に吊り下げて使用するタイプのものが広く知られている。この防虫剤容器は、プラスチック成形品であって、防虫剤を収納する容器本体の上部にフック状の吊下部を有しており、使用時に際しては、洋服ダンスやクローゼットの中に張設されたパイプ（ポール）にフック状の吊下部を引っ掛けて全体を吊り下げるようになっている。
【０００３】
ところが、洋服ダンスやクローゼットの中に取り付けられた吊下用パイプはその径（太さ）が様々であるので、吊下タイプの防虫剤容器は、どの径のパイプにでも吊り下げられるようにと、フックの形状が若干大きめに作成されていた。そのため、衣類の出し入れ等の際に力が加わると簡単に外れて落下してしまうという問題を生じていた。そこで、このような落下の問題を解決するために、吊下部のフック形状に工夫を凝らしたものが種々提案されている。
【特許文献１】特開平９−２０５９６３号公報
【特許文献２】特開２００３−２６７４６６号公報
【特許文献３】特開２００１−２７５８０１号公報
【０００４】
例えば、特許文献１に記載のものは、フック部を容器本体から上方へ延設し、フック部の先端部と容器本体との間に脱着口を形成するとともに、フック部の先端を対向させて脱着口を狭めるようにストッパー部を設けた構造を採っている。このようなストッパー部を設けたことにより、パイプの大きさがフック部よりも大きくても、ストッパー部がフック部を撓ませて脱着口の径を広げるようにガイドすることでパイプに吊り下げることができるとともに、パイプに吊り下げて使用する時の脱落防止性が高くなっている。
【０００５】
特許文献２に記載のものは、フック用の上腕片を設けた表枠体とフック用の支持片を設けた裏枠体とを合わせることで、上腕片と支持片とを組み合わせて吊下用フックを構成している。このような構造の吊下用フックは、上腕片を僅かに上方に拡げることにより、パイプの径が異なる場合でも容易に掛けられるようになっているとともに、受け皿状の支持片と上方よりの上腕片に挟まれ上から抑えるように保持され、少々の圧力等では落下することがない。
【０００６】
また、特許文献３に記載のものは、釣針状のフックに、吊下パイプに対して開放位置と固定位置とを保持するヒンジ部を設けている。すなわち、フックの立ち上がり部分にヒンジ部を設け、そのヒンジ部から下方向に縦溝状の切欠きを設けて、さらにその切欠きの下端から外面方向に、ヒンジ部を中心とした円弧状の嵌合鋸歯状の切欠きを設けている。このようなヒンジ部を設けたことにより、パイプにフックを引っ掛けて、フックの直立部分の上部を内面側に押すだけで、簡単にフックの直立部分を丁度良い位置まで屈曲させて、締め付けた状態で固定することができる。
【発明の開示】
【発明が解決しようとする課題】
【０００７】
上記した従来の吊下型防虫剤容器は、いずれも異なる太さの吊下パイプに対して落下しにくい状態で吊り下げることができるように工夫されている。しかしながら、特許文献１と特許文献２に記載のものは、吊下パイプに対し横方向から差し込んで引っ掛けることしかできないため、高いところにある吊下パイプに対しては引っ掛けにくく、使いやすさに欠けるという問題点がある。また、特許文献３に記載のものは、横方向からしか差し込めない上に、フックをパイプに引っ掛けた後でフックの直立部分を押すという２段階の操作が必要で、取付けが簡単ではないという問題点がある。
【０００８】
本発明は、このような問題点に鑑みてなされたものであり、その目的とするところは、どのような高さの吊下パイプに対しても取り付けやすく、しかも取付け後はしっかりとロックできる吊下部を備えた防虫剤容器を提供することにある。
【課題を解決するための手段】
【０００９】
上記の問題点を解決するため、本発明の吊下型防虫剤容器は、防虫剤を収納する偏平状の容器本体とその上部に設けられた吊下部とからなる吊下型防虫剤容器であって、吊下部は円形状の開口とその開口の上部に脱着口を形成する一対のフック片からなり、少なくとも一方のフック片は、薄い肉厚の周辺部を残した空洞形状になっていることを特徴としている。
【発明の効果】
【００１０】
本発明の吊下型防虫剤容器は、洋服ダンスやクローゼットの中に張設された吊下パイプに引っ掛けるに際し、吊下部におけるフック片の先端同士の間に形成された脱着口の部分をパイプに押し当ててそのまま押し込むと、空洞形状のフック片がパイプに押されて弾性変形し、パイプが吊下部における開口の中に入ると同時にフック片が元の形に戻ることによって吊下状態となることから、下からでも手前からでも引っ掛けて簡単に吊り下げることができ、吊り下げた状態では元の形状に戻ったフック片によりしっかりとロックされる。したがって、どのような高さの吊下パイプに対しても取り付けやすく、しかも取り付けた後は衣類の出し入れで力が加わっても外れて落下することがなく、また吊下部の開口を大きめに設定しておくことにより、どのような径の吊下パイプに対しても吊り下げることができる。
【発明を実施するための最良の形態】
【００１１】
次に、本発明の実施の形態について図面を参照しながら詳細に説明する。
【００１２】
図１は本発明に係る吊下型防虫剤容器の一例を示す正面図であり、図２は図１の右側面図である。
【００１３】
図示の吊下型防虫剤容器Ａは、プラスチック成形品で、防虫剤を収納する偏平状の容器本体１０とその上部に設けられた吊下部２０とからなる。容器本体１０は、ヒンジ部１１を介して連結された長方形状の表枠体１２と裏枠体１３とで構成されており、裏枠体１３の上部に吊下部２０が一体的に連続している。
【００１４】
容器本体１０を構成する表枠体１２と裏枠体１３には図示の如く防虫剤拡散用の多数のスリット１２ａが設けられており、揮発性の板状防虫剤をこれら両枠体の間に収納するようになっている。すなわち、表枠体１２と裏枠体１３を広げた状態で裏枠体１３の中に防虫剤をセットした後、ヒンジ部１１のところで表枠体１２を折り曲げ、枠体同士を合わせるように裏枠体１３の孔１４に表枠体１２の爪を差し込んで嵌合することで、容器本体１０に防虫剤を収納する。なお、この容器本体１０では、防虫剤を効率よく揮散させるために側面部にもスリット１５を形成している。
【００１５】
吊下部２０は、容器本体１０における裏枠体１３の上部に一体的に設けられた一対のフック片２１，２２で構成されている。これらのフック片２１，２２は、先端が細くて基部が広がった三角状で、先端同士が互いに向かい合っており、両者の間には円形状の開口２３が形成されるとともにその開口２３の上部に脱着口２４が形成されている。そして、一方のフック片２１は、図示の如く薄い肉厚の周辺部を残した空洞形状になっている。すなわち、フック片２１には周辺部以外をくり抜いた形状の空洞２１ａが設けられている。
【００１６】
一方のフック片２１は、このような空洞形状としたことにより、外力が掛かったときに弾性変形が可能になっている。そして、三角状のフック片２１，２２の先端同士が互いに向かい合うとともに、両者の間に円形状の開口２３を形成するような形状としたことで、空洞形状のフック片２１の先端は外側から押圧されると内側に曲がりやすく、内側から押されると外側には曲がりにくくなっている。
【００１７】
図１及び図２に示す吊下型防虫剤容器Ａを洋服ダンス、クローゼット等のパイプに吊り下げるときの手順は次のようである。まず、吊下部２０におけるフック片２１，２２の先端同士の間に形成された脱着口２４の部分をパイプに押し当てる。このとき、押し当てる方向は下からでも手前からでもよい。そして、その押し当てた状態のまま押し込むと、空洞形状のフック片２１がパイプに押されて弾性変形し、パイプが吊下部２０における開口２３の中に入ると同時にフック片２１が元の形に戻って吊下状態となる。
【００１８】
このように、吊下型防虫剤容器Ａは、パイプに対して任意の方向から押し付けて吊り下げることができ、しかも吊り下げた状態では元の形状に戻ったフック片２１ともう一方のフック片２２によりしっかりとロックされる。
【００１９】
この吊下型防虫剤容器Ａの作製に際しては、洋服ダンス、クローゼット等の吊下パイプの径を考慮に入れてフック部２０の開口２３をそれらより大きめに設定し、またフック片２１，２２を三角状に設計するとともに、一方のフック片２１の周辺部の肉厚を調整して適切な弾性変形能力を与えるようにする。
【００２０】
図３は本発明に係る吊下型防虫剤容器の他の例を示す正面図であり、図４は図３の右側面図である。
【００２１】
この吊下型防虫剤容器Ｂは、前出のものと同様なプラスチック成形品で、防虫剤を収納する偏平状の容器本体３０とその上部に設けられた吊下部４０とからなり、全体が丸型になるようにデザインされている。容器本体３０は、ヒンジ部３１を介して連結された表枠体３２と裏枠体３３とで構成されており、吊下部４０は容器本体３０の上部に一体的に連続している。
【００２２】
容器本体３０を構成する表枠体３２と裏枠体３３には図示の如く防虫剤拡散用の多数のスリット３２ａが設けられており、揮発性の板状防虫剤をこれら両枠体の間に収納するようになっている。すなわち、表枠体３２と裏枠体３３を広げた状態でいずれかに防虫剤をセットした後、ヒンジ部３１のところで折り曲げて枠体同士を合わせるように嵌合することで、容器本体３０に防虫剤を収納する。このとき、表枠体３２の上部と裏枠体３３の上部にそれぞれ連続した半割り状のフック片が表裏で合わさって実際のフック片４１，４２が形成され、これにより吊下部４０が組み立てられる。なお、この容器本体４０では、防虫剤を効率よく揮散させるために側面部にもスリット３４を形成している。
【００２３】
組立後の吊下部４０は、容器本体３０の上部に一体的に設けられた一対のフック片４１，４２で構成される。これらのフック片４１，４２は、先端が細くて基部が広がった三角状で、先端同士が互いに向かい合っており、両者の間には円形状の開口４３が形成されるとともにその開口４３の上部に脱着口４４が形成されている。そして、フック片４１，４２は、いずれも図示の如く薄い肉厚の周辺部を残した空洞形状になっている。すなわち、フック片４１，４２には周辺部以外をくり抜いた形状の空洞４１ａ，４２ａが設けられている。
【００２４】
フック片４１，４２は、このような空洞形状としたことにより、外力が掛かったときに弾性変形が可能になっている。そして、三角状のフック片４１，４２の先端同士が互いに向かい合うとともに、両者の間に円形状の開口４３を形成するような形状としたことで、空洞形状のフック片４１，４２の先端は外側から押圧されると内側に曲がりやすく、内側から押されると外側には曲がりにくくなっている。
【００２５】
図３及び図４に示す吊下型防虫剤容器Ｂを洋服ダンス、クローゼット等のパイプに吊り下げるときの手順は次のようである。まず、吊下部４０におけるフック片４１，４２の先端同士の間に形成された脱着口４４の部分をパイプに押し当てる。このとき、押し当てる方向は下からでも手前からでもよい。そして、その押し当てた状態のまま押し込むと、空洞形状のフック片４１，４２がパイプに押されて弾性変形し、パイプが吊下部４０における開口４３の中に入ると同時にフック片４１，４２が元の形に戻って吊下状態となる。
【００２６】
このように、吊下型防虫剤容器Ｂは、パイプに対して任意の方向から押し付けて吊り下げることができ、しかも吊り下げた状態では元の形状に戻ったフック片４１，４２によりしっかりとロックされる。
【００２７】
この吊下型防虫剤容器Ｂの作製に際しては、洋服ダンス、クローゼット等の吊下パイプの径を考慮に入れてフック部４０の開口４３をそれらより大きめに設定し、またフック片４１，４２を三角状に設計するとともに、フック片４１，４２の周辺部の肉厚を調整して適切な弾性変形能力を与えるようにする。
【００２８】
本発明の吊下型防虫剤容器は、上記した如くプラスチック成形品からなるが、具体的な素材としては、ポリエチレン、ポリプロピレン、ポリスチレン、ナイロン、ポリエチレンテレフタレート、ポリアセタール、ＡＢＳ樹脂、ポリカーボネート等が用いられる。これらの中でも、ポリエチレン、ポリプロピレンが好適である。
【００２９】
以上、本発明の実施の形態について詳細に説明してきたが、本発明による吊下型防虫剤容器は、上記実施の形態に何ら限定されるものではなく、本発明の趣旨を逸脱しない範囲において種々の変更が可能であることは当然のことである。
【産業上の利用可能性】
【００３０】
本発明の吊下型防虫剤容器は、衣料用等の防虫剤を収納する用途の他に、除湿剤、脱臭剤、脱酸素剤等、その他の薬剤を収納して用いることも可能である。
【図面の簡単な説明】
【００３１】
【図１】本発明に係る吊下型防虫剤容器の一例を示す正面図である。
【図２】図１の右側面図である。
【図３】本発明に係る吊下型防虫剤容器の他の例を示す正面図である。
【図４】図３の右側面図である。
【符号の説明】
【００３２】
Ａ，Ｂ  吊下型防虫剤容器
１０  容器本体
１１  ヒンジ部
１２  表枠体
１２ａ  スリット
１３  裏枠体
１４  孔
１５  スリット
２０  吊下部
２１，２２  フック片
２１ａ  空洞
２３  開口
２４  脱着口
３０  容器本体
３１  ヒンジ部
３２  表枠体
３２ａ  スリット
３３  裏枠体
３４  スリット
４０  吊下部
４１，４２  フック片
４１ａ，４２ａ  空洞
４３  開口
４４  脱着口
【図１】
2007076669.tif 000003
【図２】
2007076669.tif 000004
【図３】
2007076669.tif 000005
【図４】
2007076669.tif 000006